(57)【特許請求の範囲】
【請求項１】
ドア枠や窓枠等の枠体(110) を、家屋等の建築物に形成された開口部(101) 内に取り付ける際に、枠体(110) と開口部(101) の内周部との間隔を調整することにより、枠体(110) の位置等を調整する枠体用調整装置(10)において、
枠体用調整装置(10)が、装置本体(1) と、装置本体(1) を枠体(110) に支持する板バネ等の弾性を有する支持部材(3) とを備え、
装置本体(1) が、枠体(110) に穿設された穿設孔(111) に嵌挿される筒状体(5) と、調整部材(2) を備え、
筒状体(5) は、筒状体(5) の組み付けられる枠体(110) に対して少なくとも先端側への移動を防止する移動防止手段を備え、
調整部材(2) は、筒状体(5) に螺合されたものであり、調整部材(2) と筒状体(5)とを相対的に回動させることにより、調整部材(2) の先端側が、枠体(110) から、枠体(110) と開口部(101) の内周部との間に進退自在に突出するものであり、
支持部材(3) の先端側が調整部材(2) の先端側に配位され、支持部材(3) の後端側には枠体押圧部(32a) が備えられ、
枠体用調整装置(10)の枠体(110) への組み付けに際して、調整部材(2) を筒状体(5) に螺合させることにより、調整部材(2) 及び支持部材(3) と、筒状体(5) とが連結するとともに、枠体押圧部(32a)が枠体(110) の外周面(110b)に当接し、
筒状体(5) と調整部材(2) とを相対的に回動させていくと、先端側への移動を防止する移動防止手段によって先端側への移動が防止された筒状体(5) に対して、調整部材(2) が引き寄せられ、これにより、支持部材(3) の枠体押圧部(32a)が枠体(110) から押圧された状態になり、支持部材(3) に弾性力が働き、この弾性力によって、筒状体(5) 及び筒状体(5) に連結した調整部材(2) が前方側に付勢されるものであることを特徴とする枠体用調整装置。
【請求項２】
筒状体(5) の内周には雌ねじ(15)が形成され、
調整部材(2) は貫通孔(24)を有する筒状をなし、調整部材(2) の外周面には上記の筒状体(5) の雌ねじ(15)に螺合する雄ねじ(21)が形成されたものであり、
調整部材(2) の貫通孔(24)の前端側は、固定ネジ(4) によって枠体(110) に固定される被固定部(22)を備えているものであることを特徴とする請求項１記載の枠体用調整装置。
【請求項３】
支持部材(3) の先端が、調整部材(2) の先端周部に配位されることにより、調整部材(2) の先端周部に、建築物の開口部(101) における内周部に当接し得る内周当接部(31c) が形成されたものであることを特徴とする請求項１又は２記載の枠体用調整装置。
【請求項４】
調整部材(2) に、工具ドライバーを回動不能に係合するドライバー係合部(23)が備えられたものであることを特徴とする請求項１〜３のいずれかに記載の枠体用調整装置。
【請求項５】
ドア枠や窓枠等の枠体(110) を、建築物に形成された開口部(101) に取り付ける枠体の取付工法において、
請求項１〜４に記載の枠体用調整装置であって調整部材(2)に貫通孔(24)を有するものを、枠体(110) に穿設された穿設孔(111) に取付け、この貫通孔(24)を介して枠体(110) の内周側から外周側を覗けるようにし、
建築物の開口部(101) における内周部に、地面に対する垂直線(102) を描き、次に、枠体(110) を、建築物の開口部(101) 内に配位させ、枠体(110) の内周側から貫通孔(24)を介して各枠体用調整装置(10)の貫通孔(24)を垂直線(102) に位置合わせすることを特徴とする枠体の取付工法。
【発明の詳細な説明】
【０００１】
【発明の属する技術分野】
本願発明は、ドア枠や窓枠等の枠体を、家屋等の建築物に形成された開口部内に取り付ける際に、枠体の位置等を調整する枠体用位置決め調整装置及び枠体の取付工法の改良に関するものである。
【０００２】
【従来の技術】
ドア枠や窓枠等の枠体を、家屋等の建築物に形成された開口部内に取り付ける際には、開口部が地面に対して垂直、水平になっているとは限らないため、開口部の内周部と枠体との間隔を調整し、枠体の縦枠を地面に対して垂直に、横枠を水平になるようにして枠体の立て付け精度を出さなければなない。従来、この調整を、開口部と枠体との間に薄い板を挟み込むようにして行っていた。しかし、この方法では、時間を要するとともに、熟練を要する。そこで、この課題を解決する枠体用調整装置として、例えば特開平９−３１７３３２号公報に提案されたものがある。このものは、図１０(A) に示すように筒状体ａと、筒状体ａに螺合する筒状の調整部材ｂとを備え、筒状体ａを、外周に雄ねじａ１を刻設し、内周に雌ねじａ２を刻設するとともに、内周の後端に６角レンチを係合するレンチ係合孔ａ３を設けたたものとし、一方、調整部材ｂの外周に、筒状体ａの雌ねじａ２に螺合させる雄ねじｂ１を刻設するとともに、内周の後端に６角レンチを係合するレンチ係合孔ｂ２を設け、調整部材ｂの先端に、矩形状の内周当接部ｂ２を設けたものである。そして、この枠体用調整装置によって枠体を調整するには、図１０(B)に示すように枠体１１０に設けた穿設孔１１１に筒状体ａの雄ネジａ１を、６角レンチを介してねじ込んで、筒状体ａを枠体１１０を支持させておき、調整部材ｂの雄ねじｂ１を、筒状体ａの雌ねじａ２に後端側から螺合させる。このようにして複数の枠体用調整装置を取り付けた枠体１１０を、建築物の開口部１００内に配し、枠体用調整装置の調整部材ｂ各々を、６角レンチを介して回動操作して内周当接部ｂ３を枠体１１０の外周面側に突出させて行き、内周当接部ｂ３を、建築物の開口部１００の内周部１０１に予め形成した溝状の凹み１０５に入れるようにして突き当てる。これにより、枠体１１０を開口部１００の内周部１０１に仮固定でき、その状態から更に、適宜枠体用調整装置の調整部材ｂを回動操作することにより、枠体１１０の立て付け精度を出す。尚、図１０中のｃは、調整部材ｂと開口部１０１の内周部とを固定する固定ボルトを示す。ところが、このものにおいては、筒状体ａに雄ねじａ１を設け、この雄ねじａ１によって枠体１１０に支持しているため、筒状体ａに、雌ねじａ２に加えて雄ねじａ１をも刻設しておかなければならず、加工が面倒で製作コストが高くついている。又、枠体１１０の穿設孔１１１に筒状体ａを、６角レンチを介してねじ込まなければならず、筒状体ａの枠体１１０への支持作業に労力を要する。又、この場合において、枠体１１０の穿設孔１１１にも筒状体ａの雄ねじａ１に螺合させる雌ねじを刻設しておけば、筒状体ａを簡単に枠体１１０に取り付けることができるが、その場合は、枠体１１０の穿設孔１１１に雌ねじを形成しなければならず、却って製作コストがかかってしまう。その一方、筒状体ａを、雄ねじａ１に代えて、釘等で枠体１１０に支持することも考えられるが、その場合においても、釘等で枠体１１０に支持する作業が必要となり、作業が面倒なものになってしまう。又、このものにおいては、筒状体ａに係合させる６角レンチと、調整部材ｂに係合させる６角レンチと、更には、固定ボルト４に係合させる工具ドライバ��を準備しておき、これらを交換しながら行わなければならない。更に、このものにおいては、建築物の開口部１００の内周部１０１に予め凹み１０５を加工しておかなければならないため、枠体１１０の取付けに時間を要するとともに、コスト高になっているという課題がある。
【０００３】
【発明が解決しようとする課題】
本願発明は、以上の実情に鑑み提案されたもので、低コストで製作できるとともに、枠体に簡単に組み付けることのできる枠体用調整装置の提供を目的とする。
【０００４】
又、本願発明は、枠体を、建築物の開口部に低コストで、しかも容易に取り付けることのできる枠体の取付工法の提供を目的とする。
【０００５】
【課題を解決するための手段】
本願の第１の発明は、ドア枠や窓枠等の枠体(110) を、家屋等の建築物に形成された開口部(101) 内に取り付ける際に、枠体(110) と開口部(101) の内周部との間隔を調整することにより、枠体(110) の位置等を調整する枠体用調整装置(10)において、枠体用調整装置(10)が、装置本体(1) と、装置本体(1) を枠体(110) に支持する板バネ等の弾性を有する支持部材(3) とを備え、装置本体(1) が、枠体(110) に穿設された穿設孔(111) に嵌挿される筒状体(5) と、調整部材(2) を備え、筒状体(5) は、筒状体(5) の組み付けられる枠体(110) に対して少なくとも先端側への移動を防止する移動防止手段を備え、調整部材(2) は、筒状体(5) に螺合されたものであり、調整部材(2) と筒状体(5)とを相対的に回動させることにより、調整部材(2) の先端側が、枠体(110) から、枠体(110) と開口部(101) の内周部との間に進退自在に突出するものであり、支持部材(3) の先端側が調整部材(2) の先端側に配位され、支持部材(3) の後端側には枠体押圧部(32a) が備えられ、枠体用調整装置(10)の枠体(110) への組み付けに際して、調整部材(2) を筒状体(5) に螺合させることにより、調整部材(2) 及び支持部材(3) と、筒状体(5) とが連結するとともに、枠体押圧部(32a)が枠体(110) の外周面(110b)に当接し、筒状体(5) と調整部材(2) とを相対的に回動させていくと、先端側への移動を防止する移動防止手段によって先端側への移動が防止された筒状体(5) に対して、調整部材(2) が引き寄せられ、これにより、支持部材(3) の枠体押圧部(32a)が枠体(110) から押圧された状態になり、支持部材(3) に弾性力が働き、この弾性力によって、筒状体(5) 及び筒状体(5) に連結した調整部材(2) が前方側に付勢されるものであることを特徴とする枠体用調整装置を提供する。
【０００６】
本願の第２の発明は、第１の発明に係る枠体用調整装置において、筒状体(5) の内周には雌ねじ(15)が形成され、調整部材(2) は貫通孔(24)を有する筒状をなし、調整部材(2) の外周面には上記の筒状体(5) の雌ねじ(15)に螺合する雄ねじ(21)が形成されたものであり、調整部材(2) の貫通孔(24)の前端側は、固定ネジ(4) によって枠体(110) に固定される被固定部(22)を備えているものであることを特徴とするものを提供する。
【０００７】
本願の第３の発明は、第１又は第２の発明に係る枠体用調整装置において、支持部材(3) の先端が、調整部材(2) の先端周部に配位されることにより、調整部材(2) の先端周部に、建築物の開口部(101) における内周部に当接し得る内周当接部(31c) が形成されたものであることを特徴とするものを提供する。
【０００８】
本願の第４の発明は、第１〜第３のいずれかの枠体用調整装置において、調整部材(2) に、工具ドライバーを回動不能に係合するドライバー係合部(23)が備えられたものであることを特徴とするものを提供する。
【０００９】
本願の第５の発明は、ドア枠や窓枠等の枠体(110) を、建築物に形成された開口部(101) に取り付ける枠体の取付工法において、第１〜第４のいずれかの発明に係る枠体用調整装置であって調整部材(2)に貫通孔(24)を有するものを、枠体(110) に穿設された穿設孔(111) に取付け、この貫通孔(24)を介して枠体(110) の内周側から外周側を覗けるようにし、建築物の開口部(101) における内周部に、地面に対する垂直線(102) を描き、次に、枠体(110) を、建築物の開口部(101) 内に配位させ、枠体(110) の内周側から貫通孔(24)を介して各枠体用調整装置(10)の貫通孔(24)を垂直線(102) に位置合わせすることを特徴とする枠体の取付工法を提供する。
【００１０】
以上のように構成した本願第１、第２の枠体用調整装置に係る発明においては、例えば図４に示すように枠体１１０に設けた穿設孔に筒状体５を、枠体１１０の内周面側から入れ、調整部材２を枠体１１０の内周面側から筒状体５に螺合させれば良く、これにより、弾性を有する支持部材３の枠体押圧部３１ｃが枠体１１０に当接して押圧され、この押圧に伴って支持部材３に弾性がかかり、この弾性力によって、筒状体５と調整部材２とを枠体１１０の外周面１１０ｂ側に付勢して枠体１１０に支持できる。従って、従来のように筒状体５に、枠体１１０に支持するための雄ネジを不要にでき、しかも、筒状体５を枠体１１０にねじ込まなくても良いものにでき、低コストに製作できるとともに、枠体１１０への組み付け作業を簡単に行うことができる。又、支持部材３の弾性力によって、筒状体５と調整部材２とを枠体１１０に確実に支持しておくことができる。
【００１１】
本願第３の枠体用調整装置に係る発明においては、支持部材３の先端を、調整部材２の先端周部に配位させ、調整部材２の先端周部に、建築物の開口部１０１における内周部に当接し得る内周当接部３１ｃを形成したものとする。こうすることにより、図６に示すように枠体１１０を建築物の開口部１０１内に配位させ、その枠体１１０に組み付けた調整部材２を枠体１１０の外周面側に突出させていけば建築物の開口部１０１における内周部に内周当接部３１ｃを当接させることができ、開口部１０１の内周部との当接面積を多くできる。これにより、枠体１１０を開口部１０１に対してぐらつくようなことなく、開口部１０１の内周部に確実に支持できる。又、内周当接部３１ｃを、支持部材３の一部から構成でき、別途に形成せずに済み、低コストに形成できる。
【００１２】
本願第４の枠体用調整装置に係る発明においては、調整部材２の内周に、工具ドライバーを回動不能に係合するドライバー係合部２３を備えたものとするため、工具ドライバーによって調整部材２を可動操作できる。これにより、枠体用調整装置１０の枠体１１０への組み付けから枠体１１０の開口部１０１への取付けまでの全ての操作を、広く使用されている一本の工具ドライバーで行うことができ、枠体１１０の取付け操作を便利なものにできる。
【００１３】
又、本願第５の発明に係る枠体の取付工法においては、建築物の開口部１０１における内周部に、地面に対する垂直線１０２を描いておき、建築物の開口部１０１内に配位させた枠体１１０の内側から貫通孔２４を覗いて各枠体用調整装置１０の貫通孔２４を垂直線１０２に位置合わせさせる。これにより、開口部１０１内での枠体１１０の前後位置を決めることができ、枠体用調整装置１０の貫通孔２４を利用して枠体１１０の前後位置を簡単に調整できる。又、従来のように開口部１０１の内周部に凹み等を形成せずに済み、低コストで取り付けることができる。
【００１４】
【発明の実施の形態】
以下、図を基に本願発明の一実施形態を具体的に説明する。図１は、本願発明の一実施形態の枠体用調整装置の分解斜視図である。
【００１５】
本願発明の枠体用調整装置１０は、装置本体１と、装置本体１を枠体に支持する支持部材３とを備えている。装置本体１は、円筒状の筒状体５と、調整部材２とを備えている。
【００１６】
筒状体５は、図１に示すように、軸部１１と、軸部１１の後端側（図示の右側）に配位された軸部１１より径大な鍔部１２が備えられている。この鍔部１２は、筒状体５の組み付けられる後述の枠体１１０に対して少なくとも先端側への移動を防止する移動防止手段としてのものである。一方、筒状体５の内周における後端側には、内周形状を６角形状に形成されたレンチ係合部１４が備えられ、６角レンチを回動不能に係合できるようになされている。又、内周における前端からレンチ係合部１４にかけての部分には、図４、図６に示すように雌ねじ１５が刻設されている。
【００１７】
調整部材２は、図２(A)(B)(C) に示すように軸方向に貫通した貫通孔２４を有する円筒状のものから構成されている。調整部材２の外周面には、筒状体５の雌ねじ１４に螺合する雄ねじ２１が刻設されている。貫通孔２４の前端側は、後述する固定ネジ４によって枠体１１０に固定される被固定部２２を備えている。この実施形態では、貫通孔２４の前端側に形成した段部２２から構成し、この段部２２に、後述する固定ネジ４の頭部を当接させるようにして枠体１１０に固定させる。又、この段部２２には、十字状の孔からなるドライバー係合部２３…２３が形成されており、工具ドライバーを内周の後方側から挿入することにより、工具ドライバーの先端を回動不能に係合できるようになされている。
【００１８】
支持部材３は、弾性を有するものからなる。本実施形態における支持部材３は、図３(A)(B)に示すように、左右幅Ｌが２７．５ｍｍ程度の板バネ３から構成されている。この板バネ３は、平坦部３１と、平坦部３１の上下両側各々に形成された左右一対の弾性片３２、３２とを備えている。平坦部３１の中央には、前方から後方側に窪まされた凹部３１ａが形成されているとともに、その凹部３１ａに取付用孔３１ｂが穿設されている。そして、この取付用孔３１ｂが、図４に示すように調整部材２の前端に設けられたカシメ用軸部２５（図２(B) に図示）に前方側から嵌挿されて、取付用孔３１ｂから前方に出たカシメ用軸部２５の先端が押圧加工されることにより、支持部材３と調整部材２の前端とが回動自在に取り付けられている。又、このようにして取り付けられた平坦部３１における調整部材２の周部と、調整部材２の前端とは、略同一面上になるように設定されており、平坦部３１における調整部材２の周部が、内周当接部３１ｃをなし、調整部材２の前端と共に、後述する建築物の開口部における内周部に当接し得るようになされている。
【００１９】
また、本実施形態では、図３に示すように、支持部材３の平坦部３１における凹部３１ａの左右両側各々に、強度補強部３３、３３が設けられている。これらの強度補強部３４、３４は、前方から後方側に窪まさせるようにして所定幅で上下方向に伸ばされることにより、平坦部３１が撓みに難く、平面状に維持できるようになされている。
【００２０】
支持部材３の支持片３２、３２各々は、平坦部３１の上部、下部各々から後方側に折り曲げられることにより形成されている。各支持片３２、３２の後端面は、枠体押圧部３２ａ、３２ａをなし、後述する枠体１１０の外周面に当接して押圧される部分となる。又、このようにして形成された枠体押圧部３２ａ、３２ａは、平坦部３１から内周当接部３１ｃまでの距離Ｖは、外力の付与されていない通常状態で、略１６ｍｍ程度とされている。以上のように、本実施形態における支持部材３は、調整部材２の径より幅広な内周当接部３１ｃを備えるとともに、枠体１１０の外周面に当接して押圧される複数の枠体押圧部３２ａ、３２ａを備え、又、これらの枠体押圧部３２ａ、３２ａは、調整部材２の両側に配位されるとともに、枠体１１０への組み付けに際して枠体１１０の長手方向に沿わされるようにして配位され、調整部材２の軸方向の力を受けることにより、枠体押圧部３２ａ、３２ａが枠体１１０を摺動して内周当接部３１ｃからの距離Ｖを伸縮するものである。
【００２１】
次に、上記のようにして構成された枠体用調整装置を用いた枠体の取付工法について、図４〜図６を基に説明する。まず、複数の枠体用調整装置１０…１０を、ドア枠や窓枠等の枠体１１０に組み付けておく。この枠体用調整装置１０…１０の枠体１１０への組み付けは、枠体１１０に穿設された穿設孔を介して行う。詳しくは、枠体１１０には、図４、図５に示すように複数箇所、本実施形態では枠体１１０の左右の両枠に二箇所、枠体１１０の上枠に一箇所の各々に、内周面１１０ａ側に座ぐり孔１１２を有する断面円形状の穿設孔１１１…１１１が穿設されている。そして、図４に示すように、穿設孔１１１に筒状体５を、内周面１１０ａ側の座ぐり孔１１２側から通す。これにより、筒状体５の軸部１１が穿設孔１１１に、筒状体５の鍔部１２が座ぐり孔１１２に、夫々回動自在に嵌合する。
【００２２】
その後、調整部材２を取り付けた支持部材３の各支持片３２、３２を上部と下部になるようにし、調整部材２の雄ねじ２１を、枠体１１０の外周面１１０ｂ側から筒状体５の雌ねじ１５に螺合させる。この螺合は、調整部材２のドライバー係合部２３…２３に工具ドライバーを係合させて工具ドライバーを回動操作して調整部材２を筒状体５に対して回動させることにより、又は、筒状体５のレンチ係合部１４に６角レンチを係合させ、それらを回動操作して筒状体５を調整部材２に対して回動させることにより行うことができる。この螺合によって、調整部材２及び支持部材３と、筒状体５とが連結するとともに、各支持片３２、３２の枠体押圧部３２ａ、３２ａが枠体１１０の外周面１１０ｂに当接する。尚、調整部材２の筒状体５に対する回動に際し、支持片３２、３２の枠体押圧部３２ａ、３２ａが枠体１１０の外周面１１０ｂに当接すればその抵抗によって支持片３２、３２が調整部材２と共に回ることがなく、調整部材２だけを回すことができる。
【００２３】
そして、更に、筒状体５と調整部材２とを相対的に回動させていくと、調整部材２が筒状体５に引き寄せられて支持部材３の平坦部３１が筒状体５側に引き寄せられ、これにより、各支持片３２、３２の枠体押圧部３２ａ、３２ａが枠体１１０の外周面１１０ｂを滑り、枠体押圧部３２ａ、３２ａと平坦部３１の内周当接部３１ｃとの距離Ｖが、図３(A) に示した通常状態より短くなる。又、上記距離Ｖが短くなると、支持部材３の枠体押圧部３２ａ、３２ａが枠体１１０から押圧された状態になり、支持部材３は、元の状態に戻ろうとする弾性力が働き、その弾性力によって、筒状体５及び筒状体５に連結した調整部材２が前方側に付勢される。従って、調整部材２と筒状体５とは、支持部材３から受ける弾性力以上の力がかからない限り枠体１１０に対して動けない状態で枠体１１０に確実に支持される。このようにして、複数の枠体用調整装置１０…１０を、ドア枠や窓枠等の枠体１１０に組み付けるようにすれば、筒状体５を、従来のように筒状体５の外周に雄ねじを設けて枠体１１０にねじ込んで支持しなくても、単に枠体１１０の座ぐり孔１１２を有する穿設孔１１１に通せば良いものにできる。よって、筒状体５の製作を簡単にできるとともに、枠体１１０への取付け作業を簡単なものにできる。又、このようにして枠体１１０に取付けられた状態の枠体用調整装置１０における筒状体５は、枠体１１０に対して先端側に移動不能且つ後方側に移動可能に配位されているため、支持部材３の内周当接部３１ｃが、調整部材２によってかけられている弾性力以上の力で後方側に押圧された場合は、支持部材３の内周当接部３１ｃと共に筒状体５が後方側に移動し、支持部材３における枠体押圧部３２ａ、３２ａと内周当接部３１ｃとの距離Ｖが短くなって付勢状態になる。
【００２４】
一方、枠体１１０を取り付ける建築物の開口部１０１の内周部に、垂直線１０２を墨等により描く。詳しくは、図５に示すように建築物の開口部１０１の内周部を構成している左右の柱１０３、１０３における対向する内面１０３ａ、１０３ａ各々に、例えば図７に示すように水準器等により上端から下端にかけて垂直線１０２を描く。尚、この垂直線１０２は、前後方向（図７のＸ−Ｙ方向）に垂直であるが、柱１０３、１０３が左右に傾いている場合もあるため、左右方向（図５のＺ−Ｗ方向）に垂直とは限らない。又、建築物の開口部１０１の内周部を構成している間柱１０４の内面に、上記垂直線１０２、１０２同士を結ぶ連結線を描くようにしておいても良い。
【００２５】
次に、垂直線１０２を描いた建築物の開口部１０１内に上記の複数の枠体用調整装置１０…１０を装着した枠体１１０を配位させ、図７に示すように枠体１１０の内側から枠体用調整装置１０における調整部材２の貫通孔２４を介して覗き、貫通孔２４の略中央に垂直線１０２がくるように枠体１１０を位置を調整する。これにより、図７に示すように建築物の柱１０３、１０３が前後に傾いている場合でも、枠体１１０の前後位置を、垂直に調整できる。そして、その状態で、各調整部材２のドライバー係合部２３に工具ドライバーを係合させて工具ドライバーを回動操作して調整部材２の突出量を調整し、図５、図６に示すように調整部材２の先端を、建築物の開口部１０１の内周部に当接させる。その際、調整部材２の先端と共に、支持部材３の内周当接部３１ｃが建築物の開口部１０１の内周部に当接するため、開口部１０１の内周部との当接面積を多くでき、建築物の開口部１０１の内周部に対し動いてぐらつくようなことがなく、確実に支持できる。これにより、枠体１１０の前後位置を調整した状態で開口部１０１の内周面に簡単に仮固定できる。
【００２６】
そして、この状態から、更に工具ドライバーを回動操作して調整部材２の突出量を調整することにより、枠体１１０と開口部１０１の内周部との間隔ｔを調整する。これにより、図５に示すように建築物の柱１０３、１０３が左右方向に傾いている場合でも、枠体１１０の左右方向を地面に対して垂直に位置調整できる。又、枠体１１０や開口部１０１の内周部を構成している柱１０３や間柱１０４が歪んでいる場合でも矯正できる。また、枠体１１０を開口部１０１の内周面に固定した後、枠体１１０と開口部１０１とに相対的な力がかかって枠体用調整装置１０…１０の支持部材３の内周当接部３１ｃ…３１ｃが開口部１０１から押圧されると、支持部材３の内周当接部３１ｃ…３１ｃと共に、筒状体５が枠体１１０の穿設孔１１１を後方側に移動し、支持部材３における枠体押圧部３２ａ、３２ａと内周当接部３１ｃとの距離Ｖが短くなって付勢された状態になり、一方、その力の除去に伴い支持部材３の弾性によってもとの状態に復元させる。従って、枠体１１０を開口部１０１の内周面に固定した後に、地震等による振動を受けた場合でも、枠体用調整装置１０…１０の弾性によって振動を吸収することができ、枠体１１０が開口部１０１に対してずれ動くようなことを防止できる。尚、この調整部材２の突出量の調整は、筒状体５を回動させることによっても行うことができる。詳しくは、筒状体５のレンチ係合部１４に６角レンチを係合させ、支持部材３から筒状体５にかかる弾性力に抗して６角レンチを回動操作するようにすれば筒状体５を調整部材２に対して回動させることができる。その際、筒状体５は支持部材３から弾性力によって枠体１１０の外周面側に引っ張られて移動しないため、筒状体５の回動に伴い調整部材２が筒状体５に対して移動し、調整部材２の突出量を調整できる。
【００２７】
その後、図８に示すように木ネジやタッピングネジ等の固定手段としての固定ネジ４を貫通孔２４に通して開口部１０１の内周部にねじ込んで固定しておく。尚、この固定ネジ４は、枠体１１０の前後位置を調整した状態でセットするようにし、その後、調整部材２の突出量を調整することにより枠体１１０と開口部１０１の内周部との間隔ｔを調整するようにしても良い。ただし、この場合は、固定ネジ４の頭部によって調整部材２のドライバー係合部２３が覆い隠されて工具ドライバーを係合できなくなるので、その場合は、筒状体５のレンチ係合部１４に６角レンチを係合させ、６角レンチを回動操作して筒状体５を調整部材２に対して回動させることにより行うことができる。又、この固定ネジ４は、必要に応じて設ければ良く、設けなくても良い。また、枠体１１０と開口部１０１の内周部との間隔ｔを調整した後は、図８に示すようにキャップ６を枠体１１０の穿設孔１１１に被せるようにしておいても良い。
【００２８】
以上のようにして枠体１１０を開口部１０１に取り付ければ、簡単に取り付けることができる。又、調整部材２にドライバー係合部２３を備えているため、枠体用調整装置１０の枠体１１０への組み付けから調整部材２の突出量の調整、及び固定ネジ４の装着に至る枠体１１０の開口部１０１への取付けまでの全ての操作を、広く使用されている一本の工具ドライバーで行うことができる。又、工具ドライバーの先端部をビットとした電動工具によって、上記の枠体用調整装置１０の枠体１１０への組み付けから枠体１１０の開口部１０１への取付けまでの全ての操作を行うこともでき、操作便利なものにできる。
【００２９】
尚、本実施形態では、調整部材２にドライバー係合部２３を設けたものとしているが、ドライバー係合部２３に代え、或いはドライバー係合部２３と共に、図９に示すように調整部材２の後端側の内周に、６角形状のレンチ係合部２６を設けるようにしても良い。又、本実施形態では、筒状体５の後端にレンチ係合部１４を設けているが、例えば筒状体５の前端を枠体１１０の前方に突出させるようにするとともに、その突出部分の外周形状を６角形状等の工具スパナで回動不能に係合し得る形状に形成してスパナ係合部を、レンチ係合部１４に代えて、又はレンチ係合部１４と共に設けるようにしても良く、適宜変更できる。
【００３０】
又、調整部材２に設けたドライバー係合部２３、筒状体５に設けたレンチ係合部１４や上記のスパナ係合部、更には、上記の調整部材２に設けたレンチ係合部２６は、少なくとも一つを設けておけば良く、これにより、調整部材２と筒状体５とを相対的に回動操作できる。また、調整部材２と筒状体５との回動を、調整部材２のドライバー係合部２３、或いは上記の調整部材２に設けたレンチ係合部２６だけで行うようにすれば、筒状体５を雌ねじ１５だけを加工すれば良いものにでき、より簡素化できる。更に、調整部材２と筒状体５との回動を、調整部材２を回動させて行う場合は、筒状体５の外周形状や枠体１１０の穿設孔１１１を断面形状を多角形状等にし、筒状体５を穿設孔１１１に回動不能且つ先端方向への移動不能に嵌挿するようにしても良く、適宜変更し得る。
【００３１】
更に、本実施形態では、図４に示す状態から調整部材２を突出させるようにしているが、枠体１１０からの調整部材２の突出による調整範囲は、支持部材３の支持片３２、３２が枠体１１０に沿って支持部材３全体が平板状になる位置から支持部材３の枠体押圧部３２ａ、３２ａが枠体１００から離れるまでの行うことができ、又、本実施形態では、その調整範囲を、０〜略１４ｍｍに設定しているが、この範囲に限らず、適宜変更できる。
【００３２】
また、本願発明の枠体用調整装置は、ドア枠や窓枠に用いられる形態のものに限らず、家屋等の建築物の開口部に取り付ける枠又は枠に類似のものに広く使用でき、適宜変更して使用できるものでる。
【００３３】
【発明の効果】
以上、本願第１、第２の枠体用調整装置に係る発明は、板バネ等の弾性を有する支持部材３によって、筒状体５と調整部材２との装置本体１を枠体１１０に支持できる。従って、従来のように筒状体５に、枠体１１０に支持するための雄ネジを不要にでき、しかも、筒状体５を枠体１１０にねじ込まなくても良いものにでき、低コストに製作できるとともに、枠体１１０への組み付け作業を簡単に行うことができる。
【００３４】
本願第３の枠体用調整装置に係る発明は、枠体１１０を建築物の開口部１０１内に配位させ、その枠体１１０に組み付けた調整部材２を枠体１１０の外周面側に突出させていけば建築物の開口部１０１における内周部に内周当接部３１ｃを当接させることができ、開口部１０１の内周部との当接面積を多くできる。これにより、枠体１１０を開口部１０１の内周部にぐらつくようなことなく、確実に固定できる。又、内周当接部３１ｃを、支持部材３の一部から構成するため、別途に形成せずに済み、低コストに形成できる。
【００３５】
本願第４の枠体用調整装置に係る発明は、工具ドライバーによって調整部材２を可動操作でき、枠体用調整装置１０の枠体１１０への組み付けから枠体１１０の開口部１０１への取付けまでの全ての操作を、一本の工具ドライバーで行うことができ、操作便利なものにできる。
【００３６】
又、本願第５の発明に係る枠体の取付工法は、建築物の開口部１０１における内周部に、地面に対する垂直線１０２を描いておき、建築物の開口部１０１内に配位させた枠体１１０の内側から貫通孔２４を覗いて各枠体用調整装置１０の貫通孔２４を垂直線１０２に位置合わせさせることにより、開口部１０１内での枠体１１０の前後位置を決めることができ、枠体用調整装置１０の貫通孔２４を利用して枠体１１０の前後位置を簡単に調整できる。又、従来のように開口部１０１の内周部に凹み等を形成せずに済み、低コストで取り付けることができる。
【図面の簡単な説明】
【図１】本願発明の一実施形態の枠体用調整装置の分解斜視図である。
【図２】(A) は、調整部材の側面図、(B) は、図２(A) のII−II線断面図、(C) は、図２(A) のIII −III 線断面図である。
【図３】(A) は、支持部材の側面図、(B) は、その正面図である。
【図４】枠体用調整装置を枠体に組み付けた状態の断面図である。
【図５】枠体用調整装置を取り付けた枠体を建築物の開口部に固定した状態の説明図である。
【図６】枠体用調整装置によって枠体を建築物の開口部に固定した状態の要部拡大断面図である。
【図７】枠体に組み付けた枠体用調整装置の貫通孔を、建築物の開口部の内周部に描いた垂直線に位置合わせした状態の説明図である。
【図８】建築物の開口部に固定した枠体の枠体用調整装置に固定ネジを装着した状態の要部拡大断面図である。
【図９】枠体用調整装置の他の実施形態を示す要部拡大断面図である。
【図１０】(A) は、従来の枠体用調整装置の分解斜視図、(B) は、従来の枠体用調整装置によって枠体を建築物の開口部に固定した状態の要部拡大断面図である。
【符号の説明】
１ 装置本体
２ 調整部材
３ 支持部材
４ 固定ネジ
５ 筒状体
１０ 枠体用調整装置
２３ ドライバー係合部
２４ 貫通孔
３１ｃ 内周当接部
１０１ 建築物の開口部
１０２ 垂直線
１１０ 枠体
１１１ 穿設孔
【図１】
0003634648.tif 000002
【図２】
0003634648.tif 000003
【図３】
0003634648.tif 000004
【図４】
0003634648.tif 000005
【図５】
0003634648.tif 000006
【図６】
0003634648.tif 000007
【図７】
0003634648.tif 000008
【図８】
0003634648.tif 000009
【図９】
0003634648.tif 000010
【図１０】
0003634648.tif 000011